(57)【要約】【課題】器具本体の損傷を防ぐことができる照明器具を提供する。【解決手段】磁気回路式の安定器１と、長細い形状であって長手方向に直交する断面での断面形状が略コ字形で内部に安定器１が収納された器具本体２と、器具本体２に設けられそれぞれ放電灯ＦＬが装着される２対の放電灯用ソケットと、安定器１と器具本体２との間に介在し安定器１の両側で器具本体２の内面に当接し安定器１から漏れる磁気を遮蔽する磁気遮蔽体４とを備える。磁気遮蔽体４によって器具本体２が機械的に補強されるから、器具本体２の損傷を防ぐことができる。しかも、新たに部品を追加することなく、安定器１からの漏れ磁束を遮蔽するための磁気遮蔽体４によって機械的強度を得ているから、製造コストが増大することがない。【選択図】        図１
2004356071.tif 000002
【特許請求の範囲】
【請求項１】
磁気回路式の安定器と、長細い形状であって長手方向に直交する断面での断面形状が略コ字形で内部に安定器が収納された器具本体と、器具本体に設けられ放電灯が装着される少なくとも一対のソケットと、器具本体の開口を閉塞するように器具本体に取り付けられ放電灯の光を反射する反射板と、安定器と器具本体との間に介在し器具本体の短手方向に対向する内面に少なくとも安定器を挟む２箇所で当接し安定器から漏れる磁気を遮蔽する磁気遮蔽体とを備えることを特徴とする照明器具。
【請求項２】
安定器と反射板との間に介在し反射板に当接して安定器から漏れる磁気を遮蔽する磁気遮蔽板を備えることを特徴とする請求項１記載の照明器具。
【請求項３】
安定器とソケットとを電気的に接続する電線を器具本体内の安定器と磁気遮蔽板との間に配置したことを特徴とする請求項２記載の照明器具。
【請求項４】
器具本体の開口面に沿った短手方向の寸法を略５０ｍｍとしたことを特徴とする請求項１乃至請求項３のいずれかに記載の照明器具。
【請求項５】
磁気遮蔽板を非磁性材料で形成したことを特徴とする請求項２記載の照明器具。
【請求項６】
磁気遮蔽体及び磁気遮蔽板を熱の良導体である金属板で形成し、電線を磁気遮蔽体又は磁気遮蔽板の少なくとも一方に接触させたことを特徴とする請求項１乃至請求項５のいずれかに記載の照明器具。
【発明の詳細な説明】
【０００１】
【発明の属する技術分野】
本発明は、磁気回路式の安定器を用いた照明器具に関するものである。
【０００２】
【従来の技術】
従来から、磁気回路式の安定器（いわゆる銅鉄安定器）を用いて放電灯を点灯させる照明器具が提供されている。ここで、磁気回路式の安定器は放電灯の点灯時に、内部の鉄心またはコイルから漏れた交番磁束によって振動し、騒音を発生する。この騒音を抑制するために、従来は安定器を収納する器具本体と安定器との間に合成ゴムのような振動吸収用部材を挟んだり、器具本体の安定器が接触した面の反対面に器具本体の振動を抑制する振動抑制板を取り付けたりしていた（例えば、特許文献１参照）。
【０００３】
また、交番磁束は安定器の外部にも漏れるため、器具本体が磁性材料からなる場合には、安定器から漏れる磁気で器具本体が振動することによっても騒音が発生する。この騒音を防ぐため、安定器から漏れる磁気を遮蔽する技術が提案されている（例えば、特許文献２参照）。
【０００４】
【特許文献１】
特開平１０−１２５１３２号公報（第２−３頁、第１図）
【特許文献２】
実開昭５５−１７６５４３号公報
【０００５】
【発明が解決しようとする課題】
ところで、安定器は鉄心等を有し重量があるため、従来は運搬中などに外部から衝撃が加わったときに器具本体の安定器との接触部に強い力が加わって器具本体が損傷しやすかった。
【０００６】
本発明は上記事由に鑑みてなされたものであり、その目的は、器具本体の損傷を防ぐことができる照明器具を提供することにある。
【０００７】
【課題を解決するための手段】
請求項１の発明は、磁気回路式の安定器と、長細い形状であって長手方向に直交する断面での断面形状が略コ字形で内部に安定器が収納された器具本体と、器具本体に設けられ放電灯が装着される少なくとも一対のソケットと、器具本体の開口を閉塞するように器具本体に取り付けられ放電灯の光を反射する反射板と、安定器と器具本体との間に介在し器具本体の短手方向に対向する内面に少なくとも安定器を挟む２箇所で当接し安定器から漏れる磁気を遮蔽する磁気遮蔽体とを備えることを特徴とする。
【０００８】
この発明によれば、磁気遮蔽体が器具本体の内面に当接することによって器具本体が機械的に補強されるから、器具本体の損傷を防ぐことができる。しかも、新たに部品を追加することなく、安定器からの漏れ磁束を遮蔽するための磁気遮蔽体によって機械的強度を得ているから、製造コストが増大することがない。また、磁気遮蔽体は振動を吸収する部材ほどの厚みや面積を確保する必要がないから、安定器の収納スペースが少ない長細い形状の器具本体にも対応可能である。
【０００９】
請求項２の発明は、請求項１の発明において、安定器と反射板との間に介在し反射板に当接して安定器から漏れる磁気を遮蔽する磁気遮蔽板を備えることを特徴とする。
【００１０】
この発明によれば、磁気遮蔽板によって反射板が機械的に補強されるから、反射板の損傷を防ぐことができる。また、新たに部品を追加することなく、安定器からの漏れ磁束を遮蔽するための磁気遮蔽板によって機械的強度を得ているから、製造コストが増大することがない
請求項３の発明は、請求項２の発明において、安定器とソケットとを電気的に接続する電線を器具本体内の安定器と磁気遮蔽板との間に配置したことを特徴とする。
【００１１】
請求項４の発明は、請求項１乃至請求項３のいずれかの発明において、器具本体の開口面に沿った短手方向の寸法を略５０ｍｍとしたことを特徴とする。
【００１２】
請求項５の発明は、請求項２の発明において、磁気遮蔽板を非磁性材料で形成したことを特徴とする。
【００１３】
請求項６の発明は、請求項１乃至請求項５のいずれかの発明において、磁気遮蔽体及び磁気遮蔽板を熱の良導体である金属板で形成し、電線を磁気遮蔽体又は磁気遮蔽板の少なくとも一方に接触させたことを特徴とする。
【００１４】
この発明によれば、磁気遮蔽体又は磁気遮蔽板を介して電線の放熱が可能となるから、熱による電線の劣化を防ぐことができる。
【００１５】
【発明の実施の形態】
以下、本発明の実施の形態を図面に基づいて説明する。
【００１６】
本実施形態は、図２に示すように天井等に配設され直管形の２本の蛍光灯ＦＬを点灯させる照明器具であって、図３に示すように、それぞれ一方の蛍光灯ＦＬを点灯させるための２個の磁気回路式の安定器１と、各安定器１をそれぞれ収納した器具本体２と、器具本体２を閉塞するように器具本体２に取り付けられ放電灯ＦＬの光を反射する反射板３と、それぞれ安定器１と器具本体２との間に介在する２個の磁気遮蔽体４と、それぞれ反射板３と安定器１との間に介在して反射板３に当接する矩形平板状の２枚の磁気遮蔽板５とを備える。器具本体２と反射板３とは、それぞれ例えば亜鉛鋼板からなる。磁気遮蔽体４と磁気遮蔽板５とは、それぞれ例えばアルミニウムのような熱の良導体でありかつ非磁性材料である金属からなる。以下、上下左右は図３を基準として説明する。
【００１７】
詳しく説明すると、器具本体２は、左右に長く下面が開放された略直方体形状に形成された主部２１と、主部２１の長手方向の両端のそれぞれ下側に設けられ主部２１の短手方向に突出する１対のランプ保持部２２とを有する。主部２１の長手方向に直交する断面での断面形状はコ字状になっている。主部２１の開口面に沿った短手方向の長さ寸法は、例えば５２ｍｍである。ランプ保持部２２には、それぞれ蛍光灯ＦＬの口金が装着される２個の蛍光灯用ソケット６と、点灯管ＧＬが装着される１個の点灯管用ソケット７とが設けられている。各ランプ保持部２２には、それぞれランプ保持部２２を覆うソケットカバー８が取り付けられる。器具本体２は、例えば主部２１を貫通して施工面に螺合するねじＳによって施工面に固定される。
【００１８】
図１に示すように、反射板３は長方形平板状の主部３１と、主部３１の短手方向両端からそれぞれ上方へ立設された２個の結合片３２とを備える。各結合片３２の上端部の互いに対向する面には、結合突起３３が突設されている。器具本体２の主部２１の短手方向の両端面の下端部にはそれぞれ結合溝２３が設けられていて、結合突起３３が結合溝２３に係合することによって、反射板３は器具本体２の主部２１の開口を閉塞する形で器具本体２に結合している。
【００１９】
また、磁気遮蔽体４は、下面及び左右両端面が開放された角筒形状に形成されている。磁気遮蔽体４の左右の長さ寸法及び磁気遮蔽板５の左右の長さ寸法はそれぞれ安定器１の左右の長さ寸法よりも大きくしてあり、安定器１の左右両端を除く外面の略全体は磁気遮蔽体４と磁気遮蔽板５とで覆われる。さらに、磁気遮蔽体４は、安定器１の前後両側で器具本体２の内面に当接し、磁気遮蔽板５は反射板３の上面に当接している。
【００２０】
ところで、安定器１は図示しない端子台を介して外部の商用電源に接続されるとともに、電線９を介して蛍光灯用ソケット６並びに点灯管用ソケット７に接続されている。器具本体２が長細に形成されていることにより、安定器１の前後には電線９を通す隙間がないため、電線９は安定器１と磁気遮蔽板５との間に配設してある。安定器１は発熱部品であり、高温の環境下では電線９の劣化が早まるおそれがあるから、本実施形態では器具本体２の内部の安定器１の下側において電線９を磁気遮蔽板５に接触させている。このため、熱の良導体からなる磁気遮蔽板５を介して電線９の放熱が可能となるから、熱による電線９の劣化を防ぐことができる。
【００２１】
上記構成によれば、安定器１から漏れる磁気が磁気遮蔽体４及び磁気遮蔽板５によって遮られるので、安定器１からの漏れ磁束によって金属製の器具本体２及び反射板３が振動することを防止できる。また、磁気遮蔽体４及び磁気遮蔽板５をそれぞれ器具本体２及び反射板３に当接させていることで、器具本体２及び反射板３を機械的に補強しているため、例えば輸送の際に外部から衝撃が加わって、比較的に重い部品である安定器１の周囲に強い力が加わっても、器具本体２や反射板３が損傷することを防止できる。しかも、新たに部品を追加することなく、安定器１からの漏れ磁束を遮蔽するための磁気遮蔽体４及び磁気遮蔽板５によって機械的強度を得ているから、製造コストが増大することがない。また、磁気遮蔽体４及び磁気遮蔽板５を熱の良導体である金属で形成しているので、安定器１の放熱に支障を来すこともない。磁気遮蔽体４及び磁気遮蔽板５は振動を吸収する部材ほどの厚みや面積を確保する必要がないから、本実施形態のように短手方向の幅寸法が小さい照明器具に好適なものである。
【００２２】
なお、両面テープを用いて磁気遮蔽板５を反射板３に貼着すれば、両面テープによって衝撃が緩和されるから反射板３がさらに損傷しにくくなる。
【００２３】
また、図４に示すように、アルミ箔ＡＦによって安定器１を包囲することによっても、安定器１からの漏れ磁束による器具本体２及び反射板３の振動を防ぐことは可能である。この場合、機械的な強度の向上は望めないものの、磁気遮蔽体４を形成するための金型が不用となるから製造コストを低減することができるという利点がある。
【００２４】
【発明の効果】
請求項１の発明は、磁気遮蔽体が器具本体の内面に当接することによって器具本体が機械的に補強されるので、器具本体の損傷を防ぐことができる。しかも、新たに部品を追加することなく、安定器からの漏れ磁束を遮蔽するための磁気遮蔽体によって機械的強度を得ているから、製造コストが増大することがない。また、磁気遮蔽体は振動を吸収する部材ほどの厚みや面積を確保する必要がないから、安定器の収納スペースが少ない長細い形状の器具本体にも対応可能である。
【００２５】
請求項２の発明は、請求項１の発明において、磁気遮蔽板によって反射板が機械的に補強されるので、反射板の損傷を防ぐことができる。また、機械的強度のための新たな部品を追加することなく、安定器からの漏れ磁束を遮蔽するための磁気遮蔽板によって機械的強度を得ているから、製造コストが増大することがない。
【００２６】
請求項６の発明は、請求項１乃至請求項５のいずれかの発明において、電線を磁気遮蔽体又は磁気遮蔽板の少なくとも一方に接触させたので、磁気遮蔽体又は磁気遮蔽板を介して電線の放熱が可能となるから、熱による電線の劣化を防ぐことができる。
【図面の簡単な説明】
【図１】本発明の実施形態を示す断面図である。
【図２】同上を示す斜視図である。
【図３】同上を示す分解斜視図である。
【図４】本発明の課題を解決する別の方法を示す断面図である。
【符号の説明】
１  安定器
２  器具本体
３  反射板
４  磁気遮蔽体
５  磁気遮蔽板
６  放電灯用ソケット
９  電線
ＦＬ  放電灯
【図１】
2004356071.tif 000003
【図２】
2004356071.tif 000004
【図３】
2004356071.tif 000005
【図４】
2004356071.tif 000006